【手続補正書】
【提出日】平成17年11月28日(2005.11.28)
【手続補正１】
【補正対象書類名】明細書
【補正対象項目名】特許請求の範囲
【補正方法】変更
【補正の内容】
【特許請求の範囲】
【請求項１】  貨幣の支払いに応じた価値であって、遊技に使用可能な遊技用価値の大きさを特定可能な遊技用価値情報、並びに遊技者を特定可能とするために該遊技者に固有に付与された遊技者特定情報が記録された遊技用記録媒体の記録情報を少なくとも読み取る記録媒体処理手段と、
該記録媒体処理手段にて前記遊技用記録媒体から読み出した前記遊技用価値情報から特定される遊技用価値の大きさを遊技に使用するための遊技使用処理を行う遊技使用処理手段と、
を備える記録媒体処理装置と、
該記録媒体処理装置とデータ通信可能であって、遊技場において使用可能な遊技用記録媒体の情報である第１の使用可能記録媒体情報を管理するとともに、少なくとも前記各遊技用記録媒体の遊技用価値の大きさを管理し、前記記録媒体処理装置における売上を集計した売上情報を外部に送信するために各遊技場に設置された記録媒体管理装置と、
前記記録媒体処理装置並びに前記記録媒体管理装置とデータ通信可能であって、遊技場において使用可能な遊技用記録媒体の情報である第２の使用可能記録媒体情報を管理するとともに、前記遊技者特定情報に対応付けて各遊技者の遊技用記録媒体の使用に基づく情報を管理するために各遊技場毎に設置された遊技者管理装置と、
遊技場外に設けられて各遊技場の前記記録媒体管理装置と通信可能であって、各遊技場の前記記録媒体管理装置から送信されてきた売上情報に基づいて、各遊技場の売上情報を管理するともに、各遊技場において使用可能な遊技用記録媒体の情報を含む運用情報を送信する場外集中管理装置と、
から成る遊技用システムにおいて、
前記記録媒体管理装置は、
当日の営業実績に対する所定の締め処理と、該締め処理後において前記場外集中管理装置との間において前記売上情報の送信および前記運用情報の受信を行う送受信処理と、を行うとともに、
該送受信処理にて受信した運用情報に基づいて、管理している第１の使用可能記録媒体情報を更新する更新処理を行い、
該記録媒体管理装置の起動時において、前記送受信処理が正常に完了している場合には、前記更新処理により更新された第１の使用可能記録媒体情報を前記遊技者管理装置に送信する一方、前記送受信処理が正常に完了していない場合には、該記録媒体管理装置にて管理している第１の使用可能記録媒体情報を前記遊技者管理装置に送信する使用可遊技用記録媒体情報送信処理を行い、
前記遊技者管理装置は、該記録媒体管理装置の起動時において前記使用可遊技用記録媒体情報送信処理により前記記録媒体管理装置から送信されてくる第１の使用可能記録媒体情報に基づき、管理している第２の使用可能記録媒体情報の更新処理を行う、
ことを特徴とする遊技用システム。
【請求項２】  前記場外集中管理装置は、前記送受信処理が正常に完了していない記録媒体管理装置を特定し、該記録媒体管理装置に対して未送信情報の送信要求を送信し、
前記記録媒体管理装置は、営業中処理に移行した後に前記未送信情報の送信要求を受信した場合、該送信要求の受信に基づいて前記未送信情報の送信処理を実施するとともに、前記場外集中管理装置から前記運用情報を受信した場合には、該受信した運用情報に基づいて管理している第１の使用可能記録媒体情報を更新するとともに、該更新後の第１の使用可能記録媒体情報を前記遊技者管理装置に送信し、
前記遊技者管理装置は、営業中処理に移行した後に前記更新後の第１の使用可能記録媒体情報を受信した場合、該受信した第１の使用可能記録媒体情報に基づき、管理している第２の使用可能記録媒体情報を更新する請求項１に記載の遊技用システム。
【請求項３】  前記記録媒体管理装置は、前記送受信処理が正常に完了していない場合には、該送受信処理が正常に完了していない旨を報知するとともに、前記場外集中管理装置からの運用情報の受信に基づき前記第１の使用可能記録媒体情報を更新した場合には、該更新を報知する請求項２に記載の遊技用システム。
【請求項４】  前記場外集中管理装置は、前記送受信処理が正常に完了していない記録媒体管理装置を特定可能な情報を出力する請求項１〜３のいずれかに記載の遊技用システム。
【請求項５】  前記記録媒体処理装置は、前記遊技使用処理に供された遊技用価値の大きさと遊技者特定情報を含む使用情報を前記記録媒体管理装置に送信し、該記録媒体管理装置は、該送信されてきた使用情報に基づいて遊技者特定情報毎に遊技使用処理に供された遊技用価値の大きさを管理するとともに、該遊技者特定情報毎に遊技使用処理に供された遊技用価値の大きさを前記遊技者管理装置に送信し、前記遊技者管理装置は、受信した遊技者特定情報毎に遊技使用処理に供された遊技用価値の大きさを登録、管理する請求項１〜４のいずれかに記載の遊技用システム。
【請求項６】  前記遊技用記録媒体には各遊技用記録媒体を特定可能な記録媒体識別情報が記録されており、前記記録媒体管理装置並びに前記遊技者管理装置は、遊技場において使用可能な遊技用記録媒体の前記記録媒体識別情報を登録、管理するとともに、前記記録媒体管理装置は、前記第１の使用可能記録媒体情報として、該使用可能な全ての遊技用記録媒体の前記記録媒体識別情報を前記遊技者管理装置に送信する請求項１〜５のいずれかに記載の遊技用システム。
【手続補正２】
【補正対象書類名】明細書
【補正対象項目名】０００７
【補正方法】変更
【補正の内容】
【０００７】
【課題を解決するための手段】
前記した問題を解決するために、本発明の遊技用システムは、
貨幣の支払いに応じた価値であって、遊技に使用可能な遊技用価値の大きさを特定可能な遊技用価値情報、並びに遊技者を特定可能とするために該遊技者に固有に付与された遊技者特定情報が記録された遊技用記録媒体の記録情報を少なくとも読み取る記録媒体処理手段と、
該記録媒体処理手段にて前記遊技用記録媒体から読み出した前記遊技用価値情報から特定される遊技用価値の大きさを遊技に使用するための遊技使用処理を行う遊技使用処理手段と、
を備える記録媒体処理装置と、
該記録媒体処理装置とデータ通信可能であって、遊技場において使用可能な遊技用記録媒体の情報である第１の使用可能記録媒体情報を管理するとともに、少なくとも前記各遊技用記録媒体の遊技用価値の大きさを管理し、前記記録媒体処理装置における売上を集計した売上情報を外部に送信するために各遊技場に設置された記録媒体管理装置と、
前記記録媒体処理装置並びに前記記録媒体管理装置とデータ通信可能であって、遊技場において使用可能な遊技用記録媒体の情報である第２の使用可能記録媒体情報を管理するとともに、前記遊技者特定情報に対応付けて各遊技者の遊技用記録媒体の使用に基づく情報を管理するために各遊技場毎に設置された遊技者管理装置と、
遊技場外に設けられて各遊技場の前記記録媒体管理装置と通信可能であって、各遊技場の前記記録媒体管理装置から送信されてきた売上情報に基づいて、各遊技場の売上情報を管理するともに、各遊技場において使用可能な遊技用記録媒体の情報を含む運用情報を送信する場外集中管理装置と、
から成る遊技用システムにおいて、
前記記録媒体管理装置は、
当日の営業実績に対する所定の締め処理と、該締め処理後において前記場外集中管理装置との間において前記売上情報の送信および前記運用情報の受信を行う送受信処理と、を行うとともに、
該送受信処理にて受信した運用情報に基づいて、管理している第１の使用可能記録媒体情報を更新する更新処理を行い、
該記録媒体管理装置の起動時において、前記送受信処理が正常に完了している場合には、前記更新処理により更新された第１の使用可能記録媒体情報を前記遊技者管理装置に送信する一方、前記送受信処理が正常に完了していない場合には、該記録媒体管理装置にて管理している第１の使用可能記録媒体情報を前記遊技者管理装置に送信する使用可遊技用記録媒体情報送信処理を行い、
前記遊技者管理装置は、該記録媒体管理装置の起動時において前記使用可遊技用記録媒体情報送信処理により前記記録媒体管理装置から送信されてくる第１の使用可能記録媒体情報に基づき、管理している第２の使用可能記録媒体情報の更新処理を行う、
ことを特徴としている。
この特徴によれば、前記記録媒体管理装置と前記場外集中管理装置との間における前記送受信処理が正常に完了していない場合であっても、前記記録媒体管理装置が前記遊技者管理装置に対して第１の使用可能記録媒体情報を送信し、該送信に基づいて遊技者管理装置が管理している第２の使用可能記録媒体情報を更新することで、前記記録媒体管理装置と前記遊技者管理装置にて管理している遊技場において使用可能な遊技用記録媒体の整合性が保たれるようになるため、営業に支障を生じる等の問題の発生を回避できる。
【手続補正３】
【補正対象書類名】明細書
【補正対象項目名】０００８
【補正方法】変更
【補正の内容】
【０００８】
本発明の遊技用システムの前記場外集中管理装置は、前記送受信処理が正常に完了していない記録媒体管理装置を特定し、該記録媒体管理装置に対して未送信情報の送信要求を送信し、
前記記録媒体管理装置は、営業中処理に移行した後に前記未送信情報の送信要求を受信した場合、該送信要求の受信に基づいて前記未送信情報の送信処理を実施するとともに、前記場外集中管理装置から前記運用情報を受信した場合には、該受信した運用情報に基づいて管理している第１の使用可能記録媒体情報を更新するとともに、該更新後の第１の使用可能記録媒体情報を前記遊技者管理装置に送信し、
前記遊技者管理装置は、営業中処理に移行した後に前記更新後の第１の使用可能記録媒体情報を受信した場合、該受信した第１の使用可能記録媒体情報に基づき、管理している第２の使用可能記録媒体情報を更新することが好ましい。
このようにすれば、例えば営業中であっても、前記送信要求が前記記録媒体管理装置に随時送信され、該送信要求に基づいて未送信情報の送信処理が実施されることで、迅速に遊技場において使用可能な遊技用記録媒体の情報が最新の情報に更新されるようになる。
【手続補正４】
【補正対象書類名】明細書
【補正対象項目名】０００９
【補正方法】変更
【補正の内容】
【０００９】
本発明の遊技用システムの  前記記録媒体管理装置は、前記送受信処理が正常に完了していない場合には、該送受信処理が正常に完了していない旨を報知するとともに、前記場外集中管理装置からの運用情報の受信に基づき前記第１の使用可能記録媒体情報を更新した場合には、該更新を報知することが好ましい。
このようにすれば、前記送受信処理が正常に完了していないことを確認できるとともに、前記遊技場において使用可能な遊技用記録媒体の情報が更新されたことを確認できる。
【手続補正５】
【補正対象書類名】明細書
【補正対象項目名】００１０
【補正方法】変更
【補正の内容】
【００１０】
本発明の遊技用システムの前記場外集中管理装置は、前記送受信処理が正常に完了していない記録媒体管理装置を特定可能な情報を出力することが好ましい。
このようにすれば、送受信処理が正常に完了していない記録媒体管理装置を容易に把握することができる。
【手続補正６】
【補正対象書類名】明細書
【補正対象項目名】００１２
【補正方法】変更
【補正の内容】
【００１２】
本発明の遊技用システムの前記遊技用記録媒体には各遊技用記録媒体を特定可能な記録媒体識別情報が記録されており、前記記録媒体管理装置並びに前記遊技者管理装置は、遊技場において使用可能な遊技用記録媒体の前記記録媒体識別情報を登録、管理するとともに、前記記録媒体管理装置は、前記第１の使用可能記録媒体情報として、該使用可能な全ての遊技用記録媒体の前記記録媒体識別情報を前記遊技者管理装置に送信することが好ましい。
このようにすれば、前記記録媒体管理装置並びに前記遊技者管理装置が前記記録媒体識別情報を用いた管理を実施するとともに、前記記録媒体管理装置が遊技場において使用可能な全ての遊技用記録媒体の前記記録媒体識別情報を前記遊技者管理装置に送信することで、これら遊技場において使用可能な遊技用記録媒体の情報の更新を容易に且つ正確に実施することができる。
【手続補正７】
【補正対象書類名】明細書
【補正対象項目名】０１９２
【補正方法】変更
【補正の内容】
【０１９２】
【発明の効果】
本発明は次の効果を奏する。
（ａ）請求項１の発明によれば、前記記録媒体管理装置と前記場外集中管理装置との間における前記送受信処理が正常に完了していない場合であっても、前記記録媒体管理装置が前記遊技者管理装置に対して第１の使用可能記録媒体情報を送信し、該送信に基づいて遊技者管理装置が管理している第２の使用可能記録媒体情報を更新することで、前記記録媒体管理装置と前記遊技者管理装置にて管理している遊技場において使用可能な遊技用記録媒体の整合性が保たれるようになるため、営業に支障を生じる等の問題の発生を回避できる。
【手続補正８】
【補正対象書類名】明細書
【補正対象項目名】０１９３
【補正方法】変更
【補正の内容】
【０１９３】
（ｂ）請求項２の発明によれば、例えば営業中であっても、前記送信要求が前記記録媒体管理装置に随時送信され、該送信要求に基づいて未送信情報の送信処理が実施されることで、迅速に遊技場において使用可能な遊技用記録媒体の情報が最新の情報に更新されるようになる。
【手続補正９】
【補正対象書類名】明細書
【補正対象項目名】０１９４
【補正方法】変更
【補正の内容】
【０１９４】
（ｃ）請求項３の発明によれば、前記送受信処理が正常に完了していないことを確認できるとともに、前記遊技場において使用可能な遊技用記録媒体の情報が更新されたことを確認できる。
【手続補正１０】
【補正対象書類名】明細書
【補正対象項目名】０１９５
【補正方法】変更
【補正の内容】
【０１９５】
（ｄ）請求項４の発明によれば、送受信処理が正常に完了していない記録媒体管理装置を容易に把握することができる。
【手続補正１１】
【補正対象書類名】明細書
【補正対象項目名】０１９７
【補正方法】変更
【補正の内容】
【０１９７】
（ｆ）請求項６の発明によれば、前記記録媒体管理装置並びに前記遊技者管理装置が前記記録媒体識別情報を用いた管理を実施するとともに、前記記録媒体管理装置が遊技場において使用可能な全ての遊技用記録媒体の前記記録媒体識別情報を前記遊技者管理装置に送信することで、これら遊技場において使用可能な遊技用記録媒体の情報の更新を容易に且つ正確に実施することができる。